(57)【要約】【課題】電子装置内の浸水検出の確度を高めることができる電子装置の浸水検出構造を提供する。【解決手段】所定値以上の相対湿度である場合に、浸水を検出する湿度センサと、発熱部材と、湿度センサと、発熱部材と、を収納する筐体と、を備える電子装置の浸水検出構造であって、筐体は、湿度センサと、発熱部材とを収納し、隔壁により筐体内の他の空間と仕切られた格納室を有し、発熱部材の発熱により、格納室の温度を、他の空間より高くする。【選択図】図２
2012132872.tif 000002
【特許請求の範囲】
【請求項１】
所定値以上の相対湿度である場合に、浸水を検出する湿度センサと、
発熱部材と、
前記湿度センサと、前記発熱部材と、を収納する筐体と、を備える電子装置の浸水検出構造であって、
前記筐体は、前記湿度センサと、前記発熱部材とを収納し、隔壁により前記筐体内の他の空間と仕切られた格納室を有し、
前記発熱部材の発熱により、前記格納室の温度を、前記他の空間より高くすることを特徴とする電子装置の浸水検出構造。
【請求項２】
前記湿度センサは、前記発熱部材の上部に配置されることを特徴とする請求項１に記載の浸水検出構造。
【発明の詳細な説明】
【技術分野】
【０００１】
本発明は、電子装置の筐体内への浸水検出において、その確度を高める構造に関する。
【背景技術】
【０００２】
携帯電話端末と無線通信を行う基地局等の電子装置は通常、屋外に配備されている。このため、雨水などが装置内部に入り込まないよう、筐体の目地にはガスケットやパッキンなどを配して浸水を防止している。
【０００３】
しかしながら、ガスケットやパッキンの経年劣化等に伴い、装置内部に雨水が浸水する場合がある。そのため、装置内部に湿度センサを設置し、湿度センサが装置内部の異常を検知すると、事業者に対しアラームを送信する技術が提案されている（例えば、特許文献１を参照）。
【０００４】
上述のような湿度センサは、常時、装置内部がなることのない相対湿度、例えば、９０パーセント以上であると、浸水を検出する構成になっている。また、湿度センサが実際に水没したような場合でも、相対湿度が９０パーセント以上であると、検出する。
【先行技術文献】
【特許文献】
【０００５】
【特許文献１】特開平１０−１５３５１５号公報
【発明の概要】
【発明が解決しようとする課題】
【０００６】
しかしながら、装置内部は、周囲環境の急激な変化（例えば、激しい降雨等）に伴う筐体急冷時に、一時的に装置内部の相対湿度が急上昇することがある。このような場合に、装置内部の相対湿度が９０パーセント以上になってしまうと、装置内部で浸水していないにも関わらず、浸水を誤検出し、事業者に対しアラームを送信する可能性があった。
【０００７】
本発明は、このような問題点に鑑みてなされたものであり、本発明の目的は、装置内部における浸水検出の確度を高めることのできる浸水検出構造を提供することにある。
【課題を解決するための手段】
【０００８】
上記目的を達成するため、本発明は、所定値以上の相対湿度である場合に、浸水を検出する湿度センサと、発熱部材と、前記湿度センサと、前記発熱部材と、を収納する筐体と、を備える電子装置の浸水検出構造であって、前記筐体は、前記湿度センサと、前記発熱部材とを収納し、隔壁により前記筐体内の他の空間と仕切られた格納室を有し、前記発熱部材の発熱により、前記格納室の温度を、前記他の空間より高くする。
【０００９】
前記湿度センサは、前記発熱部材の上部に配置されることが好ましい。
【発明の効果】
【００１０】
本発明は、格納室に湿度センサと、発熱部材とを収納し、発熱部材の発熱により、電子装置筐体内の他の空間よりも、格納室内の温度を高くする。これにより、格納室内の飽和水蒸気量を高めることができ、筐体内の他の空間よりも、検出する相対湿度を低くすることができる。よって、一時的に装置内部の湿度が急上昇した場合における、浸水の誤検出を抑制することができる。
【図面の簡単な説明】
【００１１】
【図１】本発明の一実施形態に係る基地局装置の全体斜視図である。
【図２】本発明の一実施形態に係る基地局装置における浸水検出構造の部分拡大断面図である。
【発明を実施するための形態】
【００１２】
本発明の実施の形態について図面を参照して説明する。本発明の電子装置の浸水検出構造は、屋外に設置されることが多い基地局装置において筐体内の他の空間と隔壁で仕切った格納室を設け、この格納室に発熱部材と、湿度センサとを収納して当該発熱部材の発熱により、他の空間よりも温度を高くすることで、格納室内の飽和水蒸気量を筐体内の他の空間よりも高め、検出する相対湿度を低くなるようにする。これにより、基地局装置における、周囲環境の急激な変化（例えば、激しい降雨等）で生じる装置内部の相対湿度の急上昇に起因する浸水の誤検出を抑制するものである。
【００１３】
図１は、基地局装置の全体斜視図である。基地局装置の筐体１３は、図に示すように、周囲が複数のフィン１２で囲まれている。複数のフィン１２は、フィン方向が筐体外壁１１に対して垂直になるようにして、筐体外側に突出させて、互いに所定の間隔を隔てて配置されている。
【００１４】
図２は、本発明に係る基地局装置の浸水検出構造の実施形態を示す部分拡大断面図である。図２に示すように、基地局装置の筐体外壁１１は、筐体外壁１１と一体となった複数のフィン１２を備えている。また、筐体１３の内部には、格納室１４が筐体内壁に密着して設けられている。
【００１５】
格納室１４は、隔壁１５によって、パワーアンプ等の無線通信機器が収容される他の空間と仕切られている。格納室１４は、例えば、３辺がそれぞれ４〜６ｃｍ、８〜１２ｃｍ、１〜３ｃｍの大きさの隔壁１５により仕切られた直方体の形状を有している。格納室１４は、筐体外壁１１およびフィン１２と同じ材料で形成されており、アルミニウム（熱伝導率約２００Ｗ／ｍＫ）または銅（熱伝導率約４００Ｗ／ｍＫ）等の熱伝導率が良い材料（熱伝導率１００Ｗ／ｍＫ以上の材料）で形成されている。
【００１６】
格納室１４には、発熱部材であるヒータ１６と、湿度センサ１７とが収容され、ここでは、ヒータ１６の上部に湿度センサ１７が配置されている。また、ヒータ１６の発熱により格納室１４内の温度を、筐体１３内の他の空間よりも高くすることで、当該他の空間よりも、格納室１４内の飽和水蒸気量が高くなるようにしており、そのため、格納室１４内の相対湿度は、筐体１３内の他の空間よりも低くなっている。
【００１７】
そして、周囲環境の急激な変化（例えば、激しい降雨等）により、装置内部の相対湿度が急上昇したとしても、湿度センサ１７が収納されている格納室１４は、ヒータ１６の発熱により飽和水蒸気量が筐体１３の他の空間よりも高くなっており、かつ、相対湿度も低くなっているため、湿度センサ１７が浸水と検出する閾値となる所定値（例えば、相対湿度９０パーセント）以上となる可能性を従来よりも低減することができる。したがって、基地局装置内部における相対湿度の急上昇に起因する浸水の検出を低減できる。
【００１８】
なお、上述した実施の形態では、筐体の外壁とフィンを成型するときに同時に格納室をも一体成型して、隔壁と筐体の外壁とが一体となるようにしても良い。
【００１９】
上述したように、本発明に係る電子装置の浸水検出構造は、筐体内の格納室に湿度センサと、発熱部材とを収納し、発熱部材の発熱により、電子装置筐体内の他の空間よりも、格納室内の温度を高くする。これにより、格納室内の飽和水蒸気量を高めることができ、筐体内の他の空間よりも、検出する相対湿度を低くすることができる。よって、一時的に装置内部の湿度が急上昇した場合における、浸水の検出を低減できる。すなわち、浸水の誤検出を抑制することができる。
【符号の説明】
【００２０】
１１  筐体外壁
１２  フィン
１３  筐体
１４  格納室
１５  隔壁
１６  ヒータ
１７  湿度センサ
【図１】
2012132872.tif 000003
【図２】
2012132872.tif 000004